(57)【要約】  コネクタ１００は、複数の電線１１０を受け入れるための後部開口部１０８、及び前部開口部１０６を画定する絶縁性ハウジング１０２と、ハウジング１０２内に配置され、相手方コネクタの対応する嵌合区分と嵌合するための嵌合区分１１２を備える回線板１０４とを備える。嵌合区分１１２は前部開口部１０６から外方へ突出し、側方縁部１１４、１１６の間に配置された前方縁部１１８において終端する。コネクタ１００は、前部開口部１０６の外側部１２４、１２６から、嵌合区分１１２の側方縁部１１４、１１６に沿って隣接し、それらを越えて前方へ延在する側方アーム１２８、１３０を更に備え、各側方縁部１１４、１１６と、側方アーム１２８、１３０との間の最大分離は、コネクタ１００が相手方コネクタと嵌合したときに、側方縁部１１４、１１６と、側方アーム１２８、１３０との間に挿入されることができる相手方コネクタの部分がないほど、十分に小さい。【選択図】図１１
2017533563.tif 000002
【特許請求の範囲】
【請求項１】
複数の電線を受け入れるための後部開口部、及び前部開口部を画定する絶縁性ハウジングと、
前記ハウジング内に配置され、相手方コネクタの対応する接点と電気接触するための複数の接触パッドを備える嵌合区分を備える回線板であって、前記嵌合区分は前記前部開口部から外方へ突出する、回線板と、
前記回線板の前記嵌合区分の主表面を覆い、前記嵌合区分の上面を露出させる収縮位置まで弾性的に収縮可能である導電性シールドと、を備える、コネクタ。
【請求項２】
前記嵌合区分が相手方コネクタの対応する区分と嵌合すると、前記導電性シールドが、前記収縮位置まで収縮するように構成されている、請求項１に記載のコネクタ。
【請求項３】
組み合わせによる、請求項２に記載のコネクタ、及び相手方コネクタであって、前記収縮したシールドが前記相手方コネクタのシールドで置換されている、請求項２に記載のコネクタ、及び相手方コネクタ。
【請求項４】
複数の通路を備える絶縁性ハウジングと、
複数の導電接点であって、各接点は前記接点の平面を規定し、対応する通路内に配置された、複数の導電接点と、を備えるコネクタであって、
前記複数の導電接点は、
相手方コネクタの対応する接点と電気接触するための前記コネクタの嵌合区分内に配置された接触部分と、
前記絶縁性ハウジングの後部から外方へ延在する終端部分と、
前記接触部分を前記終端部分に接続する中央部分であって、各接点の前記中央部分は、対向する複数の側壁の間に配置され、各側壁は、前記接点に面し、前記側壁の頂上において終端し、前記接点の前記平面と４〜１１度の第１の鋭角をなす第１の平坦表面を備える、中央部分と、を備える、コネクタ。
【請求項５】
各側壁が、前記第１の平坦表面から下方へ延在し、前記接点の前記平面と第２の鋭角をなす第２の平坦表面を更に備え、前記第２の鋭角は前記第１の鋭角よりも小さい、請求項４に記載のコネクタ。
【請求項６】
シールドコネクタと、
前部開口部と連通する受け入れ空間を画定する、対向する上壁及び底壁、対向する側壁、並びに後壁を備える導電性ケージと、を備えるコネクタ組立体であって、
前記シールドコネクタは、
複数の通路を備える絶縁性ハウジングと、
対応する通路内に各々配置された複数の導電接点であって、
相手方コネクタの対応する接点と電気接触するための前記コネクタの嵌合区分内に配置された接触部分、
前記絶縁性ハウジングの後部から外方へ延在する終端部分、及び、
前記接触部分を前記終端部分に接続する中央部分、を備える、複数の導電接点と、
前記コネクタの前記嵌合区分の外部に組み立てられ、前記コネクタの前記嵌合区分を包囲する導電性シールドと、を備え、
前記底壁は、前記後壁に隣接する前記底壁の後部部分において底部開口部を画定し、前記上壁は、前記前部開口部に隣接する前記上壁の前部において上部開口部を画定し、
前記シールドコネクタは前記底部開口部を通して前記ケージによって受け入れられ、前記上部開口部は前記シールドコネクタの前記導電性シールドを部分的に露出させ、前記シールドコネクタの相手方コネクタは前記ケージの前記前部開口部を通して前記コネクタと嵌合する、コネクタ組立体。
【請求項７】
弾性的に収縮可能な導電性シールドを有する相手方コネクタが、前記ケージの前記前部開口部を通して前記シールドコネクタと嵌合すると、前記コネクタの前記導電性シールドが前記相手方コネクタの前記弾性的に収縮可能な導電性シールドに接触し、前記導電性シールドを収縮させる、請求項６に記載のコネクタ組立体。
【請求項８】
前記相手方コネクタの前記収縮した導電性シールドが前記コネクタの前記導電性シールドで置換されている、請求項７に記載のコネクタ組立体。
【請求項９】
複数の第１の端子を備える第１の嵌合区分、及び前記第１の端子を遮蔽する第１の導電性シールドを備える第１のコネクタと、前記第１のコネクタと嵌合するための第２のコネクタであって、複数の第２の端子を備える第２の嵌合区分、及び前記第２の端子を遮蔽する弾性的に収縮可能な第２の導電性シールドを備える、第２のコネクタと、を備え、それにより、前記第２のコネクタが前記第１のコネクタと嵌合すると、前記複数の第１の端子及び前記複数の第２の端子内の対応する端子が互いに接触し、前記第２のシールドが前記第２の端子から弾性的に収縮して遠ざかり、前記第１のシールドが前記第１の端子及び前記第２の端子の両方のための遮蔽を実現する、コネクタ組立体。
【請求項１０】
前記第２のコネクタが前記第１のコネクタから外れると、前記収縮した第２のシールドがその元の位置へ戻り、前記第２の端子のための遮蔽を実現する、請求項９に記載のコネクタ組立体。
【発明の詳細な説明】
【技術分野】
【０００１】
本出願はコネクタに関する。より詳細には、少なくとも１つの態様では、本出願は、電気ケーブルをプリント回線板に接続するための電気コネクタに関する。
【背景技術】
【０００２】
ケーブルコネクタ組立体が、電気ケーブルをプリント回線板（printed circuit board、ＰＣＢ）に接続するために一般的に用いられている。典型的なケーブルコネクタ組立体は、プラグコネクタ、及びプラグコネクタと嵌合するように配置されたレセプタクルコネクタを備えてもよい。電気ケーブルはプラグコネクタのプリント回線カードにおいて終端し、プリント回線カードは、ＰＣＢに装着されたレセプタクルコネクタの電気端子に接続するための電気接点を含む。
【０００３】
プリント回線カードを封入してプラグ／ヘッダを形成することが通例であり、封入は、プリント回線カード、及び電気ケーブルとのはんだ付け／終端区域への任意の損傷に対する保護を実現する。封入はまた、レセプタクルコネクタとのより有効な嵌合のための追加の案内特徴及び極性化特徴を有してもよい。しかし、このような封入は、異なるレセプタクルコネクタ又はソケットと嵌合されるように融通が利かない。
【０００４】
更に、電気信号伝送速度が増大するに従い、電気信号の完全性を劣化させないために、電磁干渉（electromagnetic interference、ＥＭＩ）が制御されるか、又は最小限に抑えられる必要がある。
【０００５】
本発明の目的は、従来技術の問題の少なくとも１つに対処するため、及び／又は有用な選択肢を公衆に提供するためのコネクタを提供することである。
【発明の概要】
【０００６】
第１の態様によれば、コネクタであって、複数の電線を受け入れるための後部開口部、及び前部開口部を画定する絶縁性ハウジングと、ハウジング内に配置され、相手方コネクタの対応する嵌合区分と嵌合するための嵌合区分を備える回線板であって、嵌合区分は前部開口部から外方へ突出し、嵌合区分の対向する側方縁部の間に配置された前方縁部において終端する、回線板と、前部開口部の外側部から、嵌合区分の側方縁部のうちの一方に沿って、それらに隣接して、及びそれらを越えて前方へ延在する少なくとも１つの側方アームであって、側方縁部と少なくとも１つの側方アームとの間の最大分離は、コネクタが相手方コネクタと嵌合したときに、側方縁部と少なくとも１つの側方アームとの間に挿入されることができる相手方コネクタの部分がないほど、十分に小さい、少なくとも１つの側方アームと、を備えるコネクタが提供される。
【０００７】
このような構成を用いることで、それは、対向する側方アームが、回線板を嵌合の間の損傷から保護することを支援し得、同時に、「外型」を必要とすることなく、嵌合の間における整列を提供し得ることを提供する。
【０００８】
好ましくは、少なくとも１つの側方アームは、嵌合区分の対応する側方縁部と物理的に接触してもよい。実際に、少なくとも１つの側方アームと、対応する側方縁部との間の最大分離は０であってもよい。少なくとも１つの側方アームは、回線板の対応する側方縁部の少なくとも一部分上にオーバーモールドされてもよい。
【０００９】
回線板の嵌合区分が、相手方コネクタの対応する接点と電気接触するための複数の接触パッドを備え得ることが可能であり、対向する側方アームは、複数の接触パッドを露出したまま残し、回線板上にオーバーモールドされる。
【００１０】
有利に、少なくとも１つの側方アームは、前方縁部の中心軸線からオフセットした側方アーム中心軸線を含み、このような構成は極性化特徴として用いられ得る。コネクタが、絶縁性ハウジングを封入するように構成された外部シェルハウジングを更に備え得ることが可能である。外部シェルハウジングを有する場合、コネクタは、外部シェルハウジングに装着され、相手方コネクタと係合するためのラッチ機構を更に備えてもよい。一例として、ラッチ機構は、相手方コネクタと係合するための少なくとも１つの留め具部材を備えてもよい。
【００１１】
好ましくは、コネクタは、回線板の嵌合区分の主表面を覆い、嵌合区分の主表面を露出させる収縮位置まで弾性的に収縮可能である導電性シールドを更に備えてもよい。シールドは、電磁干渉（ＥＭＩ）の望ましくない効果を低減するために用いられてもよい。具体的には、主表面は嵌合区分の上面であってもよい。
【００１２】
特定の実施形態では、少なくとも１つの側方アームは、前部開口部の対向する外側部から、嵌合区分の対応する側方縁部に沿って、それらに隣接して、及びそれらを越えて延在する、対向する側方アームを含んでもよく、各側方縁部と、対応する側方アームとの間の最大距離は、コネクタが相手方コネクタと嵌合したときに、側方縁部と、対応する側方アームとの間に挿入されることができる相手方コネクタの部分がないほど、十分に小さい。
【００１３】
第２の態様によれば、コネクタであって、複数の電線を受け入れるための後部開口部、及び前部開口部を画定する絶縁性ハウジングと、ハウジング内に配置され、相手方コネクタの対応する接点と電気接触するための複数の接触パッドを備える嵌合区分を備える回線板であって、嵌合区分は前部開口部から外方へ突出する、回線板と、回線板の嵌合区分の主表面を覆い、嵌合区分の上面を露出させる収縮位置まで弾性的に収縮可能である導電性シールドと、を備えるコネクタが提供される。
【００１４】
この構成は、相手方コネクタとのコネクタの嵌合の間における任意の過剰な衝撃力を吸収するか、又は和らげ、また、電磁干渉（ＥＭＩ）の望ましくない効果を低減することを助け得る。
【００１５】
特定の実施形態では、主表面は嵌合区分の上面であってもよい。嵌合区分が相手方コネクタの対応する区分と嵌合すると、導電性シールドは、収縮位置まで収縮するように構成されている。このような構成、即ち、相手方コネクタとの第２の態様のコネクタでは、収縮したシールドが相手方コネクタのシールドで置換されてもよい。
【００１６】
回線板の嵌合区分は、上面及び下面を含む２つの主表面を備えてもよく、導電性シールドは、上面を覆うための上部遮蔽部材、及び下面を覆うための下部遮蔽部材を含んでもよい。上部及び下部遮蔽部材の各々は、それぞれの上面及び下面を覆うように構成された前部カバー、絶縁性ハウジングの一部に取り付けられた輪状区分、並びに前部カバーと輪状区分との間に結合された、弾性的に付勢された連結機構区分を備えてもよい。
【００１７】
好ましくは、前部カバーは、絶縁性ハウジングの一部を抱え込むための対向する側面シールドを含んでもよい。絶縁性ハウジングは、前部開口部の対向する外側部から前方へ延在する、対向する側方アームを含んでもよく、対向する側面シールドは、それぞれの側方アームを抱え込むように構成されていてもよい。
【００１８】
特定の実施形態では、嵌合区分は前部開口部から外方へ突出するように構成されていてもよく、嵌合区分の対向する側方縁部の間に配置された前方縁部において終端し、コネクタは、前部開口部の外側部から、嵌合区分の側方縁部のうちの一方に沿って、それらに隣接して、及びそれらを越えて前方へ延在する少なくとも１つの側方アームであって、側方縁部と少なくとも１つの側方アームとの間の最大分離は、コネクタが相手方コネクタと嵌合したときに、側方縁部と少なくとも１つの側方アームとの間に挿入されることができる相手方コネクタの部分がないほど、十分に小さい、少なくとも１つの側方アームを更に備える。
【００１９】
少なくとも１つの側方アームは、前方縁部の中心軸線からオフセットした側方アーム中心軸線を含んでもよく、これは極性化特徴として有用になり得る。
【００２０】
具体的には、特定の実施形態では、少なくとも１つの側方アームは、前部開口部の対向する外側部から、嵌合区分の対応する側方縁部に沿って、それらに隣接して、及びそれらを越えて延在する、対向する側方アームを含んでもよく、各側方縁部と、対応する側方アームとの間の最大距離は、コネクタが相手方コネクタと嵌合したときに、側方縁部と、対応する側方アームとの間に挿入されることができる相手方コネクタの部分がないほど、十分に小さくてもよい。
【００２１】
好ましくは、導電性シールドの前縁は嵌合区分の前方縁部と一致してもよい。
【００２２】
第３の態様によれば、コネクタであって、複数の通路を備える絶縁性ハウジングと、複数の導電接点であって、各接点は接点の平面を規定し、対応する通路内に配置され、相手方コネクタの対応する接点と電気接触するためのコネクタの嵌合区分内に配置された接触部分と、絶縁性ハウジングの後部から外方へ延在する終端部分と、接触部分を終端部分に接続する中央部分であって、各接点の中央部分は、対向する複数の側壁の間に配置され、各側壁は、接点に面し、側壁の頂上において終端し、接点の平面と４〜１１度の第１の鋭角をなす第１の平坦表面を備える、中央部分と、を備える、複数の導電接点と、を備える、コネクタが提供される。
【００２３】
このような構成を用いると、導電接点と側壁との間のインピーダンス不整合を低減することが可能である。
【００２４】
各側壁は、第１の平坦表面から下方へ延在し、接点の平面と第２の鋭角をなす第２の平坦表面を更に備えてもよく、第２の鋭角は第１の鋭角よりも小さい。好ましくは、第２の鋭角は０に実質的に等しくてもよい。一実施形態では、側壁の頂上は接点の最高地点と実質的に整列する。各側壁は、接点の各々の幅と実質的に同じである基部幅を有する基部を含んでもよい。
【００２５】
第４の態様によれば、シールドコネクタと導電性ケージとを備えるコネクタ組立体が提供される。シールドコネクタは、複数の通路を備える絶縁性ハウジングと、複数の導電接点と、コネクタの嵌合区分の外部に組み立てられ、コネクタの嵌合区分を包囲する導電性シールドと、を備える。各導電接点は対応する通路内に配置され、相手方コネクタの対応する接点と電気接触するためのコネクタの嵌合区分内に配置された接触部分、絶縁性ハウジングの後部から外方へ延在する終端部分、及び接触部分を終端部分に接続する中央部分を備える。導電性ケージは、前部開口部と連通する受け入れ空間を画定する、対向する上壁及び底壁、対向する側壁、並びに後壁を備え、底壁は、後壁に隣接する底壁の後部部分において底部開口部を画定し、上壁は、前部開口部に隣接する上壁の前部において上部開口部を画定し、シールドコネクタは底部開口部を通してケージによって受け入れられ、上部開口部はシールドコネクタの導電性シールドを部分的に露出させ、シールドコネクタの相手方コネクタはケージの前部開口部を通してコネクタと嵌合する。
【００２６】
弾性的に収縮可能な導電性シールドを有する相手方コネクタが、ケージの前部開口部を通してシールドコネクタと嵌合すると、コネクタの導電性シールドは相手方コネクタの弾性的に収縮可能な導電性シールドに接触し、これが導電性シールドを収縮させてもよい。好ましくは、相手方コネクタの収縮した導電性シールドはコネクタの導電性シールドで置換されてもよい。
【００２７】
相手方コネクタは、一例として、第２の態様のコネクタを含んでもよい。
【００２８】
特定の実施形態では、導電性シールドは、絶縁性ハウジングを封入するように構成されたブラケットを含んでもよい。ブラケットは、導電性ケージのそれぞれの脚部と係合するための係合タブを含んでもよい。
【００２９】
好ましくは、導電性ケージは、シールドコネクタと摩擦係合するように構成された係合機構を含んでもよく、係合機構は、導電性シールド及び絶縁性ハウジングの後部部分と摩擦係合するように構成されていてもよい。
【００３０】
一実施形態では、絶縁性ハウジングは、絶縁性ハウジングの後部において、対向する側方ハウジング壁を含んでもよく、導電性シールドは、それぞれの側方ハウジング壁を遮蔽するように構成された翼状区分を含み、係合機構は、絶縁性ハウジングの対応する側方ハウジング壁、及び導電性シールドの翼状区分と摩擦係合するように構成されている。具体的には、係合機構は、ケージのそれぞれの側壁に装着され、ケージの後壁の近傍に配置された２つの後部ばねクリップを含んでもよい。有利に、係合機構は、相手方コネクタと摩擦係合するように更に構成されている。具体的には、係合機構は、ケージのそれぞれの側壁に装着され、ケージの前部開口部の近傍に配置された２つの前部ばねクリップを含んでもよい。
【００３１】
コネクタ組立体は第２の態様のコネクタを更に備えてもよく、コネクタが、ケージの前部開口部を通してシールドコネクタと嵌合するように構成され得る場合には、シールドコネクタの導電性シールドは、コネクタの弾性的に収縮可能な導電性シールドに接触し、弾性的に収縮可能な導電性シールドを収縮位置まで収縮させるように構成されていてもよい。
【００３２】
第５の態様では、コネクタ組立体であって、複数の第１の端子を備える第１の嵌合区分、及び第１の端子を遮蔽する第１の導電性シールドを備える第１のコネクタと、第１のコネクタと嵌合するための第２のコネクタであって、複数の第２の端子を備える第２の嵌合区分、及び第２の端子を遮蔽する弾性的に収縮可能な第２の導電性シールドを備える、第２のコネクタと、を備え、それにより、第２のコネクタが第１のコネクタと嵌合すると、複数の第１の端子及び複数の第２の端子内の対応する端子が互いに接触し、第２のシールドが第２の端子から弾性的に収縮して遠ざかり、第１のシールドが第１の端子及び第２の端子の両方のための遮蔽を実現する、コネクタ組立体が提供される。
【００３３】
第２のコネクタが第１のコネクタから外れると、収縮した第２のシールドはその元の位置へ戻り、第２の端子のための遮蔽を実現してもよい。
【００３４】
本発明の１つの態様に関連する特徴はまた、本発明の他の態様にも適用可能であり得ることが明らかであるはずである。
【００３５】
本発明のこれら及び他の態様は、以下に説明する実施形態から明らかとなり、またそれらを参照して明確となるであろう。
【図面の簡単な説明】
【００３６】
以下において、添付の図面を参照して、本発明の諸実施形態を開示する。
【図１】本発明の第１の実施形態に係るプラグコネクタの斜視図である。
【図２】図１のプラグコネクタの上面図である。
【図３】図１のプラグコネクタの正面図である。
【図４】図１のプラグコネクタの側面図である。
【図５】組み立てられていない、分離された外部シェルハウジングを提供された図１のプラグコネクタを示す。
【図６】外部シェルハウジングが組み立てられた状態の図５のプラグコネクタを示す。
【図７】本発明の第２の実施形態に係る偏位可能プラグコネクタの斜視図である。
【図８】図７の偏位可能プラグコネクタの上面図である。
【図９】図７の偏位可能プラグコネクタの正面図である。
【図１０】図７の偏位可能プラグコネクタの側面図である。
【図１１】外部ハウジングの下の導電性シールドを示すための図７の偏位可能プラグコネクタの分解斜視図である。
【図１２】外部ハウジングが省略された、導電性シールドをより明瞭に示すための図１１の偏位可能プラグコネクタの拡大図である。
【図１３】変更されたラッチ機構を有する図７の偏位可能プラグコネクタの斜視図である。
【図１４】図１３の偏位可能プラグコネクタの側面図である。
【図１５】シールドコネクタ、及びシールドコネクタを受け入れるように構成されたケージを備える第３の実施形態に係るコネクタ組立体の斜視図である。
【図１６】シールドコネクタの絶縁性ハウジング、端子モジュール及び導電性ブラケットを示すシールドコネクタの分解図である。
【図１７】図１６のシールドコネクタの、ケージが別個に示された組み立て図である。
【図１８Ａ】図１６のブラケットの斜視図である。図１８ｂ〜１８ｆはそれぞれ、
【図１８Ｂ】図１８ａのブラケットの上面図、正面図、底面図、一方の側面からの図、及び他方の側面からの図である。
【図１８Ｃ】図１８ａのブラケットの上面図、正面図、底面図、一方の側面からの図、及び他方の側面からの図である。
【図１８Ｄ】図１８ａのブラケットの上面図、正面図、底面図、一方の側面からの図、及び他方の側面からの図である。
【図１８Ｅ】図１８ａのブラケットの上面図、正面図、底面図、一方の側面からの図、及び他方の側面からの図である。
【図１８Ｆ】図１８ａのブラケットの上面図、正面図、底面図、一方の側面からの図、及び他方の側面からの図である。
【図１９Ａ】図１７のケージの斜視図である。
【図１９Ｂ】図１９ａのケージの上面図、正面図、底面図、一方の側面からの図、他方の側面からの図、及び背面図である。
【図１９Ｃ】図１９ａのケージの上面図、正面図、底面図、一方の側面からの図、他方の側面からの図、及び背面図である。
【図１９Ｄ】図１９ａのケージの上面図、正面図、底面図、一方の側面からの図、他方の側面からの図、及び背面図である。
【図１９Ｅ】図１９ａのケージの上面図、正面図、底面図、一方の側面からの図、他方の側面からの図、及び背面図である。
【図１９Ｆ】図１９ａのケージの上面図、正面図、底面図、一方の側面からの図、他方の側面からの図、及び背面図である。
【図１９Ｇ】図１９ａのケージの上面図、正面図、底面図、一方の側面からの図、他方の側面からの図、及び背面図である。
【図２０Ａ】図１９ａのケージの斜視図である。
【図２０Ｂ】方向Ｘ−Ｘにおける図１９ａのケージの下部断面図である
【図２０Ｃ】図２０ｂの断面のケージの図の平面図である。
【図２１Ａ】図１５のコネクタ組立体の斜視図であるが、絶縁性ハウジング及び端子モジュールを示さない。
【図２１Ｂ】図１５のコネクタ組立体の斜視図であるが、図２１ａのコネクタ組立体の底面斜視図である
【図２１Ｃ】図１５のコネクタ組立体の斜視図であるが、図２１ｂの部分ＦＦの拡大図である。
【図２１Ｄ】図１５のコネクタ組立体の斜視図であるが、図２１ｂの部分ＧＧの拡大図である。
【図２２】図１５のコネクタ組立体が、図１３の偏位可能プラグコネクタに接続されるためにどのように構成されているのかを示す。
【図２３】図２２のコネクタ組立体及び偏位可能プラグコネクタを含む嵌合されたコネクタの対を示す。
【図２４】図１５のコネクタ組立体内で用いられてもよい例示的な端子コネクタの正面斜視図である。
【図２５】図２４の例示的な端子コネクタの背面斜視図である。
【図２６】図２５の端子コネクタの領域ＫＫの拡大図である。
【図２７】図２５の端子コネクタの領域ＫＫの領域ＬＬの拡大図である。
【発明を実施するための形態】
【００３７】
図１は、本発明の第１の実施形態に係るプラグコネクタ１００の形態のコネクタであり、図２、図３及び図４は、それぞれ、図１のプラグコネクタの上面図、正面図及び側面図である。プラグコネクタ１００は、絶縁性ハウジング１０２、及び絶縁性ハウジング１０２内に配置された回線板１０４を含む。本実施形態では、絶縁性ハウジング１０２は回線板１０４とともに成形され、絶縁性ハウジング１０２は、前部開口部１０６、及び複数の電線１１０を受け入れるための後部開口部１０８を含む。
【００３８】
回線板１０４は、相手方コネクタ（図示されていない）の対応する嵌合区分と嵌合するための嵌合区分１１２を備える。図１に示されるように、嵌合区分１１２は、前部開口部１０６から外方へ突出するように構成されている。回線板１０４の嵌合区分１１２は、対向する側方縁部１１４、１１６を含み、対向する側方縁部１１４、１１６の間に配置された前方縁部１１８において終端する。嵌合区分１１２の形状及びサイズは、要求（及び相手方コネクタの対応する嵌合区分）に応じて適合されてもよいことを理解されたい。
【００３９】
絶縁性ハウジング１０２は、上部部分及び底部部分１２０、１２２、並びに回線板１０４を部分的に封入する第１及び第２の外側部１２４、１２６を含む。上部部分１２０、底部部分１２２、対向する第１及び第２の外側部１２４、１２６は協働して前部開口部１０６及び後部開口部１０８を画定することを理解されたい。
【００４０】
絶縁性ハウジング１０２は、互いに反対に配置され、それぞれの第１及び第２の外側部１２４、１２６から前方へ延在する第１及び第２の側方アーム１２８、１３０を更に含む。第１及び第２の側方アーム１２８、１３０は、相手方コネクタの一部分が、側方アーム１２８、１３０と、対応する側方縁部１１４、１１６との間に挿入可能になることを防止するように、回線板１０４の嵌合区分１１２の対応する側方縁部１１４、１１６に沿って、それらに隣接して、及びそれらを越えて配置されていることを理解されたい。換言すれば、第１の側方アーム１２８と第１の側方縁部１１４との間、及び第２の側方アーム１３０と第２の側方縁部１１６との間の最大分離距離が存在する場合には、その距離は、プラグコネクタ１００が相手方コネクタと嵌合したときに、側方縁部１１４、１１６と、対応する側方アーム１２８、１３０との間に挿入されることができる相手方コネクタの部分がないほどに、十分に小さい。このように、第１及び第２の側方アーム１２８、１３０は、回線板１０４を嵌合プロセスの間の破損から保護するように配置され、同時に、嵌合の間の整列を実現してもよい。
【００４１】
第１の実施形態では、図１及び図３から見ることができるように、第１及び第２の側方アーム１２８、１３０の各々は、対応する第１及び第２の側方縁部１１４、１１６と物理的に接触するように配置され、実際に、最大分離距離は０であってもよい。製作を容易にするために、第１及び第２の側方アーム１２８、１３０の各々は、回線板の対応する第１及び第２の側方縁部１１４、１１６の少なくとも一部分上にオーバーモールドされてもよい。
【００４２】
図面には示されていないが、回線板１０４の嵌合区分１１２は、相手方コネクタの対応する電気接点と電気接触するための複数の接触パッドを含んでもよく、この場合には、対向する第１及び第２の側方アーム１２８、１３０は、対応する相手方コネクタと嵌合するための複数の接触パッドを露出したまま残して回線板上にオーバーモールドされてもよいことを理解されたい。
【００４３】
図３から、第１の実施形態では、各側方アーム１２８、１３０は互いに対称的であり、Ｈｓａの高さを有し、側方アーム１２８、１３０の中心又は中点を特定することは比較的容易であることを理解されたい。２つの中心を接続する第１の想像線は側方アームＣｓａの中心線と呼ばれる。同様に、回線板１０４の中心又は中点が同じく特定されてもよく、回線板１０４の中心を通る第２の想像線はＣｃｂと呼ばれる。図３から、回線板の中心線Ｃｃｂは側方アームの中心線Ｃｓａから約０．３５ｍｍの一定の距離だけオフセットしていることが分かるはずである。又は、別の言い方をすれば、側方アーム１２８、１３０の中心は回線板１０４の中心からオフセットしている。この非対称的な距離は、回線板の正しい側が、対応する相手方コネクタと嵌合されることを確実にするための、プラグコネクタ１００の嵌合位置の極性化を可能にする（なぜなら、プラグコネクタ１００が裏表逆に回転させられた場合には、オフセットのために、プラグコネクタ１００を相手方コネクタ内に挿入することが不可能であろうからである）。言うまでもなく、０．３５ｍｍの距離は、設計変更及び技術的要求に応じて変化するか、又は適合されてもよい。
【００４４】
絶縁性ハウジング１０２はオーバーモールドとして機能し、回線板１０４を封入するための追加の外部ハウジングは必要とされなくてもよいことを理解されたい。しかし、図５及び図６に示されるように、プラグコネクタ１００が、互いに協働して外部シェルハウジング１３２を画定する上部シェル半体１３４及び底部シェル半体１３６を備える外部シェルハウジング１３２を含むことも可能である。このような構成では、外部シェルハウジング１３２は絶縁性ハウジング１０２を覆い、回線板１０４の嵌合区分１１２、並びに第１及び第２の側方アーム１２８、１３０を、露出したまま、又は遮られないまま残す。換言すれば、絶縁性ハウジング１０２は外部シェルハウジング１３２に対する内型として機能するが、対応する相手方コネクタと電気接続のために嵌合する際に回線板を極性化、整列及び／又は案内するように構成されているのは、自らの第１及び第２の側方アーム１２８、１３０を有する絶縁性ハウジングであり、外部シェルハウジング１３２ではないことを理解されたい。
【００４５】
外部シェルハウジング１３２の存在は、更に大きな衝撃に対する追加の保護及び／又は電気遮蔽を実現し、実際に、外部シェルハウジング１３２を用いることで、次に第２の実施形態において説明されるように、プラグコネクタ１００に対する更なる改善がなされ得る。
【００４６】
図７は、第２の実施形態に係る偏位可能プラグコネクタ２００の形態のコネクタであり、図８、図９及び図１０は、それぞれ、図７の偏位可能プラグコネクタ２００の上面図、正面図及び側面図である。偏位可能プラグコネクタ２００は第１の実施形態のプラグコネクタ１００を含み、デバイス全体が偏位可能プラグコネクタ１００と呼ばれるであろう。また、同様の部分は同じ参照符号を用いることになる。第１の実施形態の外部シェルハウジング１３２の代わりに、偏位可能プラグコネクタ２００は、外部シェルハウジング１３２と同様の、第１の実施形態のプラグコネクタ１００を封入するための、上部ハウジング半体２０４、及び上部ハウジング半体２０４に結合された下部ハウジング半体２０６を備える外部ハウジング２０２を含む。しかし、偏位可能プラグコネクタ２００の外部ハウジング２０２は、偏位可能プラグコネクタ２００を相手方コネクタ（図示されていない）に固定するためのラッチ機構２０８を含む。
【００４７】
第２の実施形態では、ラッチ機構２０８は、上部ハウジング半体２０４に装着された上部留め具部材２１０を含む。上部留め具部材２１０は、後部開口部１０８の近傍の一方の端部におけるフィンガ部分２１６、及び前部開口部１０６を越えて嵌合区分１１２の上方に延在する他方の端部における留め具部分２１８を有する枢動アーム２１４を支持する枢動基部２１２を含む。枢動基部２１２はフィンガ部分２１６のより近傍に配置され、留め具部分２１８は静止条件下において回線板１０４の嵌合区分１１２に向かって付勢される。このように、枢動基部２１２及び枢動アーム２１４はレバーのように振る舞い、フィンガ部分２１６を外部ハウジング２０２に向かって押下すれば、留め具部分２１８を嵌合区分１１２から、又は開放位置までてこで持ち上げ、相手方コネクタが偏位可能プラグコネクタ２００と係合すること、及び留め具部分２１８が相手方コネクタの留め具係合部分に掛かることを可能にするであろう。これは、偏位可能プラグコネクタ２００が相手方コネクタにしっかりと係合することを可能にする。
【００４８】
偏位可能プラグコネクタ２００は、例えば、ＥＭＩからの偏位可能プラグコネクタ２００の遮蔽のために弾性的に収縮可能である導電性シールド２２０を更に含む。図１１は、嵌合区分１１２の少なくとも一方の主表面を覆うように構成された導電性シールド２２０を示す偏位可能プラグコネクタ２００の分解図を示し、図１２は導電性シールド２２０をより明瞭に示す。
【００４９】
第２の実施形態では、導電性シールド２２０は、絶縁性ハウジング１０２の上部部分１２０上に配置された上部遮蔽部材２２２、及び絶縁性ハウジング１０２の底部部分１２２上に配置された下部遮蔽部材２２４を含む。本実施形態では、嵌合区分１１２は上面１１１及び下面１１３の形態の２つの主表面を含み、上部遮蔽部材２２２及び下部遮蔽部材２２４は、上面１１１及び下面１１３をそれぞれ覆うように構成されている。下部遮蔽部材２２４は上部遮蔽部材２２２と構造的に同様であるため、上部遮蔽部材２２２のみが図１２を参照して説明されることになる。
【００５０】
上部遮蔽部材２２２は比較的平坦であり、形状が概ね長方形であり、上面１１１を覆うように構成された前部カバー２２６を含み（及び下部遮蔽部材２２４は上面１１１の反対側の下面１１３を覆うように構成されている）、前部カバーの前縁２２８は嵌合区分１１２の前方縁部１１８とほぼ一致するか、又は一致する。上部遮蔽部材２２２は、前部カバー２２６の側面２３４から延在する１対の対向する側面シールド２３０、２３２を更に含み、対向する側面シールド２３０、２３２は、上部遮蔽部材２２２が絶縁性ハウジング１０２の上部部分１２０上にぴったりと載るよう、対応する第１及び第２の側方アーム１２８、１３０の外面を抱え込むように構成されている。
【００５１】
上部遮蔽部材２２２は、前部カバーの後縁２３６から延在し、輪状部材２４２において終端する１対の連結機構２３８、２４０を有する弾性的に付勢された連結機構区分を更に含む。各連結機構は、嵌合の間における衝撃を吸収するべく変位可能又は収縮可能であるために、ばね状の幾何学的構成を有する。上部遮蔽部材２２２の輪状部材２４２は、絶縁性ハウジング１０２の上部部分１２０上に形成された突出部２４４の周りに輪状に留められる。
【００５２】
使用時、上部遮蔽部材２２２及び下部遮蔽部材２２４を備える導電性シールド２２０は、ＥＭＩの効果を低減するために特に有用である。例えば、図１２に示される区域ＡＡは、周囲の電子構成要素又は相手方コネクタによって発生される外部ノイズの存在の可能性を表現する。理解されるであろうように、このような外部ノイズは望ましくなく、電気信号の信号完全性及び伝送速度に影響を与える。導電性シールド２２０は、このような外部ノイズと共振し、ＥＭＩの望ましくない効果を低減するように構成されている。
【００５３】
ＥＭＩの効果を低減することに加えて、導電性シールド２２０はまた、偏位可能プラグコネクタ２００が相手方コネクタと嵌合させられる際の衝撃の吸収を支援する。図１２における区域ＢＢ及びＣＣは、嵌合の間に相手方コネクタの部分と最初に接触する可能性の高い偏位可能プラグコネクタ２００の区域を示す。嵌合プロセスの間に、及び具体的には、過剰挿入力が加わると、相手方コネクタの部分は上部遮蔽部材２２２の前部カバー２２６の前縁２２８と係合するであろう（及び下部遮蔽部材２２４についても同様）。更に、これは、上部遮蔽部材２２２を、嵌合区分１１２の上面１１１を露出させる収縮位置まで偏位又は収縮させ（矢印ＡＢ参照）（及び同様に、下部遮蔽部材２２４も収縮して下面１１３を露出させる）、嵌合プロセスを可能にする。
【００５４】
相手方コネクタが偏位可能プラグコネクタ２００から離脱すると、上部遮蔽部材２２２及び下部遮蔽部材２２４は、先に説明され、図１２に示されているように、嵌合区分１１２を覆うそれらの初めの位置へ付勢して戻る。
【００５５】
その結果、導電性シールドは嵌合プロセスの間における衝撃を吸収することが可能になり、それゆえ、絶縁性ハウジング１０２及び／又は回線板１０４に対する損傷を低減する。
【００５６】
導電性シールド２２０は、弾性的に収縮可能又は変位可能となるための他の形状及び構造をとってもよく、実際に、導電性シールド２２０は、主表面、即ち、上面１１１又は下面１１３のうちのどちらか一方のみを覆うように構成されていることをもって足り得ることを理解されたい。換言すれば、下部遮蔽部材２２４を必要とすることなく上部遮蔽部材２２２のみが存在するか、又はその逆である。また、ラッチ機構２０８は、図１３に示されるように、下部ハウジング半体１０６に装着された下部留め具部材２４６を含んでもよい。図１３は、ラッチ機構２０８が下部留め具部材２４６を含むように変更された、図７の偏位可能プラグコネクタ２００の斜視図である。下部留め具部材２４６は上部留め具部材２１０と構造的に同様であり、それゆえ、更なる説明は必要なかろう。しかし、下部留め具部材１４６を用いることで、「２重」ラッチ機構は向上した安定性を実現し得、嵌合したコネクタの最適な位置を維持し、ユーザにとってより良好な把持を可能にし得ることが言及されるべきである。図１３の偏位可能プラグコネクタ２００では、上部及び下部留め具部材２１０、２４６は中心軸線２４８の周りに対称的であるが、それらはまた、非対称的であり、異なる幾何学的構成のものであってもよい。
【００５７】
図１５は、シールドコネクタ４００、及びシールドコネクタ４００を受け入れるように構成されたケージ６００を備える第３の実施形態に係るコネクタ組立体３００の斜視図である。第３の実施形態では、コネクタ組立体３００、及び具体的には、シールドコネクタ４００は、図１３の偏位可能プラグコネクタと嵌合するためのレセプタクルコネクタとして構成されている。言うまでもなく、第２の実施形態の偏位可能プラグコネクタ２００だけでなく、他の種類のコネクタがコネクタ組立体３００と嵌合させられてもよい。
【００５８】
図１６に示されるように、シールドコネクタ４００は、絶縁性コネクタハウジング４５０、端子モジュール５００、及びブラケット５５０の形態の導電性シールドを備える。絶縁性コネクタハウジング４５０は、上部ハウジング壁４５２、対向する底壁ハウジング４５４、側方ハウジング壁４６２、４６４を含み、各々他方から離間配置され、上壁及び底壁４５２、４５４の間に配置された、複数の通路４５８を有する（シールドコネクタ４００のための）コネクタ嵌合区分４５６を画定する。端子モジュール５００は、（矢印ＣＣによって示されるように）絶縁性コネクタハウジング４５０内に受け入れられるように構成され、複数の導電接点５０２を含み、各導電接点５０２は絶縁性コネクタハウジング４５０の対応する通路４５８内に配置される。
【００５９】
各導電接点５０２は、相手方コネクタの対応する接点と電気接触するために嵌合区分４５６内に配置されるように構成された接触部分５０４を含み、以上において説明されたように、本実施形態における相手方コネクタは偏位可能プラグコネクタ２００である。各導電接点５０２はまた、絶縁性コネクタハウジング４５０の後部４５８から外方へ延在する終端部分５０６、及び接触部分５０４を終端部分５０６に接続する中央部分５０８を含む。
【００６０】
端子モジュール５００が絶縁性コネクタハウジング４５０内に挿入され、この半組立体が、次に、ブラケット５５０内に挿入され（矢印ＤＤ参照）、図１８はブラケット５５０のより詳細な図を示す。
【００６１】
ブラケット５５０は、ブラケット５５０が絶縁性コネクタハウジング４５０の前部４６０を介して組み立てられ、嵌合区分４５６を封入することを可能にするために、シールドコネクタ４００の少なくとも嵌合区分４５６の外部に一致する形状に作られ、適合されたブラケット本体５５２を含む。詳述すると、ブラケット本体５５２は、上部ブラケット壁５５４及び対向する底部ブラケット壁５５６、並びに側部ブラケット壁５５８、５６０を含む。ブラケット本体５５２は、対応する側部ブラケット壁５５８、５６０から延在し、絶縁性コネクタハウジング４５０のそれぞれの側方ハウジング壁４６２、４６４を覆う翼状区分５６２、５６４を更に含む。各翼状区分５６２、５６４は外方へ屈曲し、後で説明されるように、ブラケット５５０がケージ６００と係合するために底部ブラケット壁５５６の近傍にタブ穴５６７、５６９を有する係合タブ５６６、５６８を形成する。
【００６２】
図１９ａ〜図１９ｇを含む図１９は、ブラケット５５０とちょうど同じように導電性であるケージ６００の詳細を示す。ケージ６００は、上部ケージ壁６０２の前部６０６において上壁開口部６０４を画定する上部ケージ壁６０２、及び底部ケージ壁６０８の後部６１２において底壁開口部６１０を画定する、対向する底部ケージ壁６０８を含む。ケージ６００は、上部及び底部ケージ壁６０２、６０８と協働して、上部ケージ壁６０２の前部６０６における前部開口部６２２と連通する受け入れ空間６２０（図１７参照）を画定する、対向する側部ケージ壁６１４、６１６、及び後部ケージ壁６１８を更に含む。前部開口部６２２は、上壁開口部６０４とともに、偏位可能プラグコネクタ２００がシールドコネクタ４００に電気結合されるために、偏位可能プラグコネクタ２００が受け入れ空間６２０内に挿入されることを可能にすることを理解されたい。後壁に隣接する底部ケージ壁６０８の底壁開口部６１０は、シールドコネクタ４００がケージ６００によって受け入れられることを可能にする。
【００６３】
ケージ６００は２つの係合ラグ６２４を更に含む。各係合ラグ６２４は、底部ケージ壁６０８に隣接して、かつ前部開口部６２２の近傍において各側部ケージ壁６１４、６１６上に形成されている。更に、ケージ６００は２つの係合脚部６２６、６２８を含む。各係合脚部６２６、６２８は、底壁開口部６１０及び後部ケージ壁６１８の近傍において各側部ケージ壁６１４、６１６上に形成されている。更に、各側部ケージ壁の内面において、偏位可能プラグコネクタ２００及びシールドコネクタ４００を係合させるための係合機構が存在する。本実施形態では、係合機構は、前部開口部６２２の近傍においてそれぞれの側部ケージ壁６１４、６１６に取り付けられた２つの前部ばねクリップ６３０、６３２を含む。これは、図２０、及び特に、方向Ｘ−Ｘにおける図２０ａのケージの断面図である図２０ｂからより明瞭に見ることができ、図２０ｃは図２０ｂのケージ断面図の平面図である。２つの前部ばねクリップ６３０、６３２は内方へ曲げられ、コネクタ同士を一体に保持することを支援する偏位可能プラグコネクタ２００との摩擦係合のためのそれぞれの付勢された当接面６３４、６３６を作り出す。
【００６４】
係合機構は、後部ケージ壁６１８の近傍、かつ底壁開口部６１０の近傍においてそれぞれの側部ケージ壁６１４、６１６に取り付けられた２つの後部ばねクリップ６３８、６４０を更に含む。２つの前部ばねクリップ６３０、６３２と異なり、２つの後部ばねクリップ６３８、６４０は、シールドコネクタ４００の後部、及び具体的には、絶縁性コネクタハウジング４５０の側方ハウジング壁４６２、４６４及びブラケット５５０の翼状区分５６２、５６４と摩擦係合するように構成されたクリップ開口部６４２、６４４を含む。このように、シールドコネクタ４００はケージ６００にしっかりと結合される。
【００６５】
図１７を参照すると、シールドコネクタ４００は（矢印ＥＥによって示されるように）底壁開口部６１０を介してケージ６００内に受け入れられ、係合脚部６２６、６２８は係合タブ５６６、５６８の対応するタブ穴５６７、５６９内に挿入される。この係合は図２１からより明瞭に見ることができる。図２１ａは、絶縁性ハウジング４５０及び端子モジュール５００を有せず、ブラケット５５０のみを有するコネクタ組立体３００の斜視図を示す。図２１ｂは図２１ａのコネクタ組立体３００の底面斜視図であり、図２１ｃは図２１ｂの部分ＦＦの拡大図であり、図２１ｄは図２１ｂの部分ＧＧの拡大図である。これらの図から、２つの後部ばねクリップ６３８、６４０は、絶縁性コネクタハウジング４５０の側方ハウジング壁４６２、４６４及びブラケット５５０の翼状区分５６２、５６４の各々の整列されたセットと係合するように構成されていることも理解されたい。ただし、これらの図では、ブラケット５５０の翼状区分５６２、５６４のみが後部ばねクリップ６３８、６４０によって留められるように示されている。
【００６６】
組み立てられると、図１５から、上部ケージ開口部６０４はシールドコネクタ４００のブラケット５５０（即ち、導電性シールド）を部分的に露出させることがうかがえ、この構成は、図２２及び図２３を参照して説明されるように、コネクタ組立体３００が偏位可能プラグコネクタ２００と嵌合させられたときにＥＭＩの効果を低減するために有用であり得る。
【００６７】
図２２は、嵌合方向ＨＨに図１３の偏位可能プラグコネクタと嵌合させられる準備ができた図１５のコネクタ組立体３００を示し、偏位可能プラグコネクタ２００がコネクタ組立体３００の受け入れ空間６２０内へ挿入されるのに従い、２つの前部ばねクリップ６３０、６３２の付勢された当接面６３４、６３６は偏位可能プラグコネクタ２００の外面と係合し、収縮可能な導電性シールド２２０が、シールドコネクタ４００（より具体的には、シールドコネクタ４００の嵌合区分４５６）と係合すると、ブラケット５５０は収縮可能な導電性シールド２２０と接触し、シールド２２０を収縮位置まで収縮させるが、図２３に示されるように、収縮したシールド２２０に取って代わり、嵌合されたコネクタ組立体３００及び偏位可能プラグコネクタ２００を遮蔽するブラケット５５０のゆえに、ＥＭＩ遮蔽は依然として達成又は維持される。
【００６８】
その結果、シールドコネクタの嵌合区分４５６（特に、端子モジュールの接触部分５０４）、及び偏位可能プラグコネクタ２００の嵌合区分１１２の回線板１０４は導電性ケージ６００及びブラケット５５０によってＥＭＩから遮蔽される。この一体化された遮蔽は、特に、潜在的ＥＭＩ曝露の区域である領域ＪＪ内における、信号伝送の信号完全性の劣化を最小限に抑える。
【００６９】
コネクタ組立体３００及び偏位可能プラグコネクタ２００は、嵌合していない構成において、それら独自の遮蔽、即ち、コネクタ組立体３００の嵌合区分４５６を遮蔽するためのブラケット５５０の形態の導電性シールド、並びに偏位可能プラグコネクタ２００の嵌合区分１１２を遮蔽するための上部遮蔽部材２２２及び下部遮蔽部材２２４の形態の（収縮可能な）導電性シールドを提供することを理解されたい。先に図１に関して述べられたように、回線板１０４の嵌合区分１１２は、端子モジュール５００の端子、即ち、複数の導電接点５０２と電気接触するように構成された、広義に「端子」と見なされる接触パッドを含んでもよい。
【００７０】
偏位可能プラグコネクタ２００が、以上において説明されたように、コネクタ組立体３００と嵌合すると、偏位可能プラグコネクタ２００の嵌合区分１１２の接触パッドは端子モジュール５００の複数の電気接点５０２のそれぞれのものと電気接触し、導電性シールドのうちの一方は（それぞれの嵌合区分１１２、４５６を遮蔽するシールドの重複性が存在するため）変位し、本実施形態では、それは、弾性的に収縮させられる偏位可能プラグコネクタ２００の上部及び下部遮蔽部材２２４、２２６であり、ブラケット５５０の形態のコネクタ組立体３００の導電性シールドが嵌合区分１１２、４５６の両方（並びにそれゆえ、互いに接続されたときの接触パッド及び電気接点５０２）のための遮蔽を実現する。
【００７１】
この場合も先と同様に、偏位可能プラグコネクタ２００がコネクタ組立体３００から外れるか、又はそれから切り離されると、収縮した上部及び下部遮蔽部材２２４、２２６はそれらの元の位置へ戻り、嵌合区分１１２及び接触パッドのための遮蔽を再び実現する。
【００７２】
収縮可能な導電性シールドは、偏位可能プラグコネクタ２００又はコネクタ組立体３００のどちらかにおいて、あるいは実際に、２つの相手方コネクタのいずれか一方において設けられてもよく、偏位可能プラグコネクタ２００において設けられる必要はなくてもよいことが明らかであるはずである。
【００７３】
記載されている実施形態は、限定的なものとして解釈されるべきではない。例えば、第１及び第２の実施形態では、嵌合の間の整列を提供する第１及び第２の側方アーム１２８、１３０は対称的なものとして示されているが、これはそうでなくてもよく、第１及び第２の側方アームは非対称的であってもよいか、又は異なる幾何学的構成を有してもよく、これらは極性化特徴として更に役立ち得る。また、第１及び第２の側方アーム１２８、１３０は対でなくてもよく、単一の側方アーム又は複数のガイドアームが嵌合方向に対してプリント回線カードのどちらかの外側部部分において配置されてもよい。また、外部シェルハウジング１３２は異なる幾何学的構成を有してもよく、図面に示されているものに制限されなくてもよい。
【００７４】
第２の実施形態における偏位可能プラグコネクタ２００は、第１の実施形態のプラグコネクタ１００を含むように説明されている。しかし、これは必須でなくてもよく、導電性シールド２２０及びラッチ機構２０８などの、偏位可能プラグコネクタ２００の特徴は他の種類のコネクタに適用されてもよいことが明らかであるはずである。また、ラッチ機構２０８及び外部ハウジング２０２は必須でなくてもよい。導電性シールド２２０はまた、他の形態、形状及び幾何学的構成をとってもよく、上部遮蔽部材２２２及び下部遮蔽部材２２４の形態のものでなくてもよい。
【００７５】
第３の実施形態は、第１の実施形態のプラグコネクタ１００を用いて説明されているが、偏位可能プラグコネクタ２００の特徴は、他のコネクタとともに用いられてもよく、特に、偏位可能プラグコネクタ２００は、第１及び第２の側方アーム１２８、１３０を有しないか、又は側方アーム１２８、１３０と、対応する側方縁部１１４、１１６との間において十分に小さい最大分離距離を有しなくてもよいことを理解されたい。また、ブラケット５５０は第３の実施形態における導電性シールドの一例として用いられており、導電性シールドは他の形態をとってもよい。同様に、前部及び後部ばねクリップ６３０、６３２、６３８、６４０の数及び種類、並びに同様に、係合脚部６２６、６２８及び係合タブ５６６、５６８の数及び種類は要求に応じて変更及び修正されてもよい。
【００７６】
実際に、プラグコネクタ１００、偏位可能プラグコネクタ２００及びコネクタ組立体３００に対して更なる改良がなされてもよく、例示的な改善は絶縁性コネクタハウジング４５０及び端子モジュール５００に関連し、両方の部分が一体に構成されると、それらは広義には「コネクタ」であるが、用語「端子コネクタ」がより容易な説明のために用いられることになる。慣例の端子コネクタがコネクタ組立体３００の一部として用いられてもよいが、コネクタ組立体３００は、図２４及び図２５に示されるとおりの端子コネクタ７００を含んでもよい。
【００７７】
第３の実施形態の参照符号を用いると、絶縁性コネクタハウジング４５０は、上部ハウジング壁４５２、対向する底壁ハウジング４５４、及び側方ハウジング壁４６２、４６４を含み、各々他方から離れて配置され、上壁及び底壁４５２、４５４の間に配置された、複数の通路４５８を有する（シールドコネクタ４００のための）コネクタ嵌合区分４５６を画定する。図２５から、端子モジュール５００は、絶縁性コネクタハウジング４５０内に受け入れられるように構成され、複数の導電接点５０２の１つ１つは絶縁性ハウジングの対応する通路４５８内に配置されることを理解することができる。
【００７８】
各導電接点５０２は、相手方コネクタ（先に説明されたとおりの偏位可能プラグコネクタ２００など）の対応する接点と電気接触する嵌合区分４５６内に配置されるように構成された接触部分５０４を含み、終端部分５０６は絶縁性コネクタハウジング４５０の後部４５８から外方へ延在し、中央部分５０８は接触部分５０４を終端部分５０６に接続する。
【００７９】
図２４及び図２５から理解することができるように、複数の通路４５８の１つ１つは、同様の幾何学的構造を持つよう、対向する複数の側壁７０２によって画定されている。側壁７０２のうちの１つの幾何学的構造が、図２５を参照して、より容易な説明のために第１及び第２の電気接点５０２ａ、５０２ｂと標識された、導電接点５０２のうちの２つに関して説明されることになる。
【００８０】
図２５の側壁７０２は、基部７０４、基部７０４から外方へ延在する中間区分７０６、及び中間区分７０６から外方へ延在する頂上区分７０８を含む。基部７０４は、第１及び第２の電気接点５０２ａ、５０２ｂの幅５０５にできるだけ近い基部幅７０５を有するか、又は幅は実質的に同じであってもよい。頂上区分７０８は、第１及び第２の電気接点５０２ａ、５０２ｂの最高地点５０７と実質的に整列するか、又はそれに一致する側壁７０２の頂上７１０を含む。頂上区分７０８は、対向する先細り状の第１の平坦表面７１２、７１４によって画定された第１の先細り状断面を含み、各々の第１の平坦表面７１２、７１４は、それぞれの第１及び第２の電気接点５０２ａ、５０２ｂに面するように構成されていることを理解されたい。第１の電気接点５０２ａを参照すると、第１の電気接点５０２ａは、絶縁性コネクタハウジング４５０の後部４５８からじかに延出する第１の電気接点５０２ａの第１の部分５０９の軸線と平行である接触平面５０３を有する。
【００８１】
先細り状断面の見地から、第１の電気接点５０２ａに面する第１の平坦表面７１２は（第１の平坦表面７１２と平行な）第１の平坦表面軸線７１６を有し、第１の平坦表面軸線７１６は接触平面５０３と４°〜１１°の第１の鋭角をなす。
【００８２】
中間区分７０６は、対向する先細り状の第２の平坦表面７１８、７２０によって画定された（第１の先細り状断面と異なるテーパ角を有する）第２の先細り状断面を有し、各々の第２の平坦表面７１８、７２０は、それぞれの第１及び第２の電気接点５０２ａ、５０２ｂに面するように構成されていることを理解されたい。この場合も先と同様に、第１の電気接点５０２ａを参照すると、第１の電気接点５０２ａに面する第１の平坦表面７１２から下方へ延在する、第１の電気接点５０２ａに面する第２の平坦表面７１８は、（第２の平坦表面７１８と平行な）第２の平坦表面軸線７２２を有し、第２の平坦表面軸線７２２は接触平面５０３と第２の鋭角をなし、第２の鋭角は第１の鋭角よりも小さい。好ましくは、第２の鋭角は実質的に０に等しいか、又は０であってもよく、即ち、第２の平坦表面軸線７２２は接触平面５０３と平行である。
【００８３】
このような側壁７０２の構造又は幾何学的構成を用いると、従来の端子コネクタによって示される高いインピーダンス不整合に対処することが可能である。具体的には、インピーダンス不整合は、公称１００オームの典型的要求を満たすように低減され得、これは、コネクタ組立体３００の性能を改善又は向上させるために有用であり得る。側壁７０２の構造はまた、導電接点５０２の間の接触を防止するために許容可能な基部幅７０５を維持しつつ、側壁７０２を作製するための材料を低減させ得る。
【００８４】
本発明は図面及び上述の説明において詳細に図解され、説明されたが、このような図解及び説明は、例証又は例示的なものと見なされるべきであり、限定と見なされるべきではない；本発明は本開示の実施形態に限定されない。クレームされている発明の実施においては、本開示の実施形態に対する他の変形例が当業者によって理解され、達成されることができる。
【図１】
2017533563.tif 000003
【図２】
2017533563.tif 000004
【図３】
2017533563.tif 000005
【図４】
2017533563.tif 000006
【図５】
2017533563.tif 000007
【図６】
2017533563.tif 000008
【図７】
2017533563.tif 000009
【図８】
2017533563.tif 000010
【図９】
2017533563.tif 000011
【図１０】
2017533563.tif 000012
【図１１】
2017533563.tif 000013
【図１２】
2017533563.tif 000014
【図１３】
2017533563.tif 000015
【図１４】
2017533563.tif 000016
【図１５】
2017533563.tif 000017
【図１６】
2017533563.tif 000018
【図１７】
2017533563.tif 000019
【図１８Ａ】
2017533563.tif 000020
【図１８Ｂ】
2017533563.tif 000021
【図１８Ｃ】
2017533563.tif 000022
【図１８Ｄ】
2017533563.tif 000023
【図１８Ｅ】
2017533563.tif 000024
【図１８Ｆ】
2017533563.tif 000025
【図１９Ａ】
2017533563.tif 000026
【図１９Ｂ】
2017533563.tif 000027
【図１９Ｃ】
2017533563.tif 000028
【図１９Ｄ】
2017533563.tif 000029
【図１９Ｅ】
2017533563.tif 000030
【図１９Ｆ】
2017533563.tif 000031
【図１９Ｇ】
2017533563.tif 000032
【図２０Ａ】
2017533563.tif 000033
【図２０Ｂ】
2017533563.tif 000034
【図２０Ｃ】
2017533563.tif 000035
【図２１Ａ】
2017533563.tif 000036
【図２１Ｂ】
2017533563.tif 000037
【図２１Ｃ】
2017533563.tif 000038
【図２１Ｄ】
2017533563.tif 000039
【図２２】
2017533563.tif 000040
【図２３】
2017533563.tif 000041
【図２４】
2017533563.tif 000042
【図２５】
2017533563.tif 000043
【図２６】
2017533563.tif 000044
【図２７】
2017533563.tif 000045
【国際調査報告】
2017533563.tif 000046
2017533563.tif 000047
2017533563.tif 000048
2017533563.tif 000049
2017533563.tif 000050